【手続補正書】
【提出日】平成26年3月10日(2014.3.10)
【手続補正１】
【補正対象書類名】特許請求の範囲
【補正対象項目名】全文
【補正方法】変更
【補正の内容】
【特許請求の範囲】
【請求項１】
画像データに対してエンコード処理を行って圧縮ビデオストリームを生成するエンコード部と、
上記エンコード部で生成された圧縮ビデオストリームを送信する送信部とを備え、
上記エンコード部は、上記画像データがフレームコンパチブル方式の立体画像データであるとき、上記圧縮ビデオストリームに、デコード後の画像データから２次元表示用の画像データを切り取るための画像領域情報を挿入する
画像データ送信装置。
【請求項２】
上記画像領域情報は、
領域の大きさを示す情報および領域の位置を示す情報、あるいは領域の大きさを示す情報である
請求項１に記載の画像データ送信装置。
【請求項３】
上記圧縮ビデオストリームは、ＭＰＥＧ２ｖｉｄｅｏフォーマットの圧縮ビデオストリームであり、
上記領域の大きさを示す情報は、Sequence Display Extension 内に拡張パラメータとして含まれ、
上記領域の位置を示す情報は、Picture Display Extension 内に拡張パラメータとして含まれる
請求項１または２に記載の画像データ送信装置。
【請求項４】
上記フレームコンパチブル方式の立体画像データは、サイド・バイ・サイド方式、またはトップ・アンド・ボトム方式の立体画像データである
請求項１から３のいずれかに記載の画像データ送信装置。
【請求項５】
上記エンコード部は、上記画像データがフレームコンパチブル方式の立体画像データであるとき、上記圧縮ビデオストリームに、デコード後の画像データから立体表示用の画像データを切り取るための画像領域情報をさらに挿入する
請求項１から４のいずれかに記載の画像データ送信装置。
【請求項６】
画像データに対してエンコード処理を行って圧縮ビデオストリームを生成するエンコードステップと、
上記エンコードステップで生成された圧縮ビデオストリームを送信する送信ステップとを備え、
上記エンコードステップでは、上記画像データがフレームコンパチブル方式の立体画像データであるとき、上記圧縮ビデオストリームに、デコード後の画像データから２次元表示用の画像データを切り取るための画像領域情報を挿入する
画像データ送信方法。
【請求項７】
画像データに対してエンコード処理を行って生成された圧縮ビデオストリームを受信する受信部と、
上記受信部で受信された圧縮ビデオストリームに対してデコード処理を行って画像データを生成するデコード部と、
上記デコード部で生成された画像データに基づいて表示用の画像データを得る画像データ処理部とを備え、
上記圧縮ビデオストリームには、上記画像データがフレームコンパチブル方式の立体画像データであるとき、デコード後の画像データから２次元表示用の画像データを切り取るための画像領域情報が挿入されており、
上記画像データ処理部は、上記デコード部で生成された画像データがフレームコンパチブル方式の立体画像データであるとき、該立体画像データから上記圧縮ビデオストリームに挿入されている画像領域情報を利用して２次元表示用の画像データを切りとって２次元画像データを得る
画像データ受信装置。
【請求項８】
ユーザが２次元表示モードまたは立体表示モードを選択するユーザ操作部をさらに備え、
上記画像データ処理部は、
上記デコード部で生成された画像データがフレームコンパチブル方式の立体画像データであるとき、
上記ユーザ操作部で上記２次元表示モードが選択される場合には、上記圧縮ビデオストリームに挿入されている画像領域情報を利用して上記立体画像データから２次元表示用の画像データを切りとって２次元画像データを得る
請求項７に記載の画像データ受信装置。
【請求項９】
ユーザが２次元表示モードまたは立体表示モードを選択するユーザ操作部をさらに備え、
上記画像データ処理部は、
上記デコード部で生成された画像データがフレームコンパチブル方式の立体画像データであるとき、
上記ユーザ操作部で上記立体表示モードが選択される場合には、上記圧縮ビデオストリームに挿入されている画像領域情報が示すハーフ解像度の値を２倍の値に解釈し、上記立体画像データからフル解像度の左眼画像データおよび右眼画像データを得る
請求項７または８に記載の画像データ受信装置。
【請求項１０】
画像データに対してエンコード処理を行って生成された圧縮ビデオストリームを受信する受信ステップと、
上記受信ステップで受信された圧縮ビデオストリームに対してデコード処理を行って画像データを生成するデコードステップと、
上記デコードステップで生成された画像データに基づいて表示用の画像データを得る画像データ処理ステップとを備え、
上記圧縮ビデオストリームには、上記画像データがフレームコンパチブル方式の立体画像データであるとき、デコード後の画像データから２次元表示用の画像データを切り取るための画像領域情報が挿入されており、
上記画像データ処理ステップでは、上記デコードステップで生成された画像データがフレームコンパチブル方式の立体画像データであるとき、該立体画像データから上記圧縮ビデオストリームに挿入されている画像領域情報を利用して２次元表示用の画像データを切りとって２次元画像データを得る
画像データ受信方法。
【請求項１１】
画像データに対してエンコード処理を行って圧縮ビデオストリームを生成するエンコード部と、
上記エンコード部で生成された圧縮ビデオストリームを送信する送信部とを備え、
上記エンコード部は、上記画像データがフレームコンパチブル方式の立体画像データであるとき、上記圧縮ビデオストリームに、デコード後の画像データから立体表示用の画像データを切り取るための画像領域情報を挿入する
画像データ送信装置。
【請求項１２】
上記圧縮ビデオストリームは、ＭＰＥＧ２ｖｉｄｅｏフォーマットの圧縮ビデオストリームであり、
上記画像領域情報は、ピクチャーレイヤのユーザデータ領域に挿入される
請求項１１に記載の画像データ送信装置。
【請求項１３】
上記ピクチャーレイヤのユーザデータ領域には、上記フレームコンパチブル方式の立体画像データであることを識別できるシグナリング情報が挿入されており、
上記画像領域情報は上記シグナリング情報より後の位置に挿入される
請求項１２に記載の画像データ送信装置。
【請求項１４】
上記フレームコンパチブル方式の立体画像データは、サイド・バイ・サイド方式、またはトップ・アンド・ボトム方式の立体画像データである
請求項１１から１３のいずれかに記載の画像データ送信装置。
【請求項１５】
画像データに対してエンコード処理を行って圧縮ビデオストリームを生成するエンコードステップと、
上記エンコードステップで生成された圧縮ビデオストリームを送信する送信ステップとを備え、
上記エンコードステップでは、上記画像データがフレームコンパチブル方式の立体画像データであるとき、上記圧縮ビデオストリームに、デコード後の画像データから立体表示用の画像データを切り取るための画像領域情報を挿入する
画像データ送信方法。
【請求項１６】
画像データに対してエンコード処理を行って生成された圧縮ビデオストリームを受信する受信部と、
上記受信部で受信された圧縮ビデオストリームに対してデコード処理を行って画像データを生成するデコード部と、
上記デコード部で生成された画像データに基づいて表示用の画像データを得る画像データ処理部とを備え、
上記圧縮ビデオストリームには、上記画像データがフレームコンパチブル方式の立体画像データであるとき、デコード後の画像データから立体表示用の画像データを切り取るための画像領域情報が挿入されており、
上記画像データ処理部は、上記デコード部で生成された画像データがフレームコンパチブル方式の立体画像データであるとき、該立体画像データから上記圧縮ビデオストリームに挿入されている画像領域情報を利用して立体表示用の画像データを切りとって左眼画像データおよび右眼画像データを得る
画像データ受信装置。
【請求項１７】
ユーザが２次元表示モードまたは立体表示モードを選択するユーザ操作部をさらに備え、
上記画像データ処理部は、
上記デコード部で生成された画像データがフレームコンパチブル方式の立体画像データであるとき、
上記ユーザ操作部で上記立体表示モードが選択される場合には、上記圧縮ビデオストリームに挿入されている画像領域情報を利用して上記立体画像データから立体表示用の画像データを切りとって左眼画像データおよび右眼画像データを得る
請求項１６に記載の画像データ受信装置。
【請求項１８】
画像データに対してエンコード処理を行って生成された圧縮ビデオストリームを受信する受信ステップと、
上記受信ステップで受信された圧縮ビデオストリームに対してデコード処理を行って画像データを生成するデコードステップと、
上記デコードステップで生成された画像データに基づいて表示用の画像データを得る画像データ処理ステップとを備え、
上記圧縮ビデオストリームには、上記画像データがフレームコンパチブル方式の立体画像データであるとき、デコード後の画像データから立体表示用の画像データを切り取るための画像領域情報が挿入されており、
上記画像データ処理ステップでは、上記デコードステップで生成された画像データがフレームコンパチブル方式の立体画像データであるとき、該立体画像データから上記圧縮ビデオストリームに挿入されている画像領域情報を利用して立体表示用の画像データを切りとって左眼画像データおよび右眼画像データを得る
画像データ受信方法。
【請求項１９】
画像データに対してエンコード処理を行って生成された圧縮ビデオストリームを受信する受信部と、
上記受信部で受信された圧縮ビデオストリームに対してデコード処理を行って画像データを生成するデコード部と、
上記デコード部で生成された画像データに基づいて表示用の画像データを得る画像データ処理部とを備え、
上記圧縮ビデオストリームには、上記画像データがフレームコンパチブル方式の立体画像データであるとき、デコード後の画像データから２次元表示用の画像データを切り取るための第１の画像領域情報およびデコード後の画像データから立体表示用の画像データを切り取るための第２の画像領域情報が挿入されており、
ユーザが２次元表示モードまたは立体表示モードを選択するユーザ操作部をさらに備え、
上記画像データ処理部は、
上記デコード部で生成された画像データがフレームコンパチブル方式の立体画像データであるとき、
上記ユーザ操作部で上記２次元表示モードが選択される場合には、上記圧縮ビデオストリームに挿入されている上記第１の画像領域情報を利用して上記立体画像データから２次元表示用の画像データを切りとって２次元画像データを得、
上記ユーザ操作部で上記立体表示モードが選択される場合には、上記圧縮ビデオストリームに挿入されている上記第２の画像領域情報を利用して上記立体画像データから立体表示用の画像データを切りとって左眼画像データおよび右眼画像データを得る
画像データ受信装置。
【手続補正２】
【補正対象書類名】明細書
【補正対象項目名】０００７
【補正方法】変更
【補正の内容】
【０００７】
トップ・アンド・ボトム方式は、図２５（ｂ）に示すように、垂直方向の前半では左眼画像データの各ラインのデータを伝送し、垂直方向の後半では右眼画像データの各ラインのデータを伝送する方式である。この方式場合、左眼画像データおよび右眼画像データのラインが１／２に間引かれ、原信号に対して垂直解像度は半分となる。
【手続補正３】
【補正対象書類名】明細書
【補正対象項目名】００６１
【補正方法】変更
【補正の内容】
【００６１】
図８は、詳細説明は省略するが、ＭＰＥＧ２ｖｉｄｅｏに規定されているＰＤＥの構造例（Syntax）を示している。ビデオエンコーダ１１２は、このＰＤＥの「frame_centre_horizontal_offset」の１６ビットフィールドに、切り取り領域の中心位置の、デコード後の画像データの中心位置からの水平方向のオフセット値を示す画素数情報を設定する。また、ビデオエンコーダ１１２は、このＰＤＥの「frame_centre_vertical_offset」の１６ビットフィールドに、切り取り領域の中心位置の、デコード後の画像データの中心位置からの垂直方向のオフセット値を示す画素数情報を設定する。
【手続補正４】
【補正対象書類名】明細書
【補正対象項目名】００６２
【補正方法】変更
【補正の内容】
【００６２】
図９は、各値の設定の一例を示している。この例は、デコード後の画像データが１９２０画素×１０８８ラインであって、その画像データのうち１９２０画素×１０８０ラインに実質的な画像データ存在する場合の例である。また、この例は、受信側において、サイド・バイ・サイド方式では左側に存在する左眼画像データを、トップ・アンド・ボトム方式では上側に存在する左眼画像データを２次元表示用の画像データとして切り取る場合の例である。なお、デコード後の画像データの中心位置をＡ０とし、切り取り領域の中心位置をＢ０としている。
【手続補正５】
【補正対象書類名】明細書
【補正対象項目名】００６４
【補正方法】変更
【補正の内容】
【００６４】
図１０は、各値の設定の他の例を示している。この例は、デコード後の画像データが１９２０画素×１０８８ラインであって、その画像データのうち１９２０画素×１０８０ラインに実質的な画像データ存在する場合の例である。また、この例は、受信側において、サイド・バイ・サイド方式では右側に存在する右眼画像データを、トップ・アンド・ボトム方式では下側に存在する右眼画像データを２次元表示用の画像データとして切り出す場合の例である。なお、デコード後の画像データの中心位置をＡ０とし、切り取り領域の中心位置をＢ０としている。
【手続補正６】
【補正対象書類名】明細書
【補正対象項目名】００９３
【補正方法】変更
【補正の内容】
【００９３】
図１６のフローチャートは、ＣＰＵ２０１におけるストリーム認識処理の手順の一例を示している。ＣＰＵ２０１は、ステップＳＴ１１において、処理を開始し、その後に、ステップＳＴ１２の処理に移る。このステップＳＴ１２において、ＣＰＵ２０１は、３Ｄシグナリング情報があるか否か、つまりシグナリング情報が立体画像データであることを示しているか否かを判別する。
【手続補正７】
【補正対象書類名】明細書
【補正対象項目名】０１１６
【補正方法】変更
【補正の内容】
【０１１６】
この立体テレビ受信機２００Ｂは、ＣＰＵ２０１と、フラッシュＲＯＭ２０２と、ＤＲＡＭ２０３と、内部バス２０４と、リモートコントロール受信部２０５と、リモートコントロール送信機２０６を有している。また、この立体テレビ受信機２００Ｂは、アンテナ端子２１０と、デジタルチューナ２１１と、トランスポートストリームバッファ（ＴＳバッファ）２１２と、デマルチプレクサ２１３を有している。また、この立体テレビ受信機２００Ｂは、ビデオデコーダ２１４と、ディスプレイアウトプットバッファ（ＤＯバッファ）２１５と、画像データ処理部２１６と、ビューバッファ２１７Ｌ，２１７Ｒと、オーディオデコーダ２１８と、チャネル処理部２１９を有している。
【手続補正８】
【補正対象書類名】明細書
【補正対象項目名】０１４０
【補正方法】変更
【補正の内容】
【０１４０】
ＣＰＵ２０１が３Ｄストリーム、つまりデコード後の画像データがフレームコンパチブル方式の立体画像データであると認識するときは、２次元表示モードが選択されているか立体表示モードが選択されているかにより、画像データ処理部２１６における処理が制御される。この場合、ＣＰＵ２０１により、ユーザ操作による上述の表示モード選択情報に基づいて、画像データ処理部２１６の処理が切り換えられる（図１８参照）。画像データ処理部２１６では、立体表示モードが選択されている場合には立体表示処理が行われ、２次元表示モードが選択されている場合には２次元表示処理が行われる。